(57)【要約】【課題】テレビが所定の放送局の放送波を視聴した時間に応じて情報を取得することの可能とする、情報転送システム、テレビおよび送信装置を提供することを課題とする。【解決手段】テレビ１２が所定の放送局の放送波を受信すると、サーバ１１より所定時間該放送波を受信するとGUI を提供する旨の通知が行われる。通知の後、所定の時間テレビ１２が該放送波の受信を行ったとき、テレビ１２は複数回、該放送波を受信している旨の通知をサーバ１１に対して行う。サーバは通知を受けると、暗号化されたGUI４１と暗号化されているGUI４１の復号処理に必要となる復号鍵４２を送信する。そのとき、サーバ１１は前記複数回の通知を受信する毎に、複数回の通知と同数に分割された復号鍵４２の一部をテレビ１２送信し、GUI４１はPC４１に送信する。TV１２は後にPC１３よりGUI４１を取得し、復号鍵４２を用いて復号を行い、GUI４１を適応することができる。【選択図】図４
2010226226.tif 000002
【特許請求の範囲】
【請求項１】
テレビと、所定の放送局が前記テレビに対して提供する情報を送信する送信装置と
を具備する情報転送システムであって、
前記テレビは、
前記所定の放送局の放送する放送波を受信する放送受信手段と、
前記送信装置と通信を行なうテレビ通信手段と、
前記受信手段によって前記放送波を受信するとき、前記テレビ通信手段によって前記送信装置に、所定の期間に複数回、前記所定の放送波を現在受信している旨を通知する通知手段と
を具備し、
前記送信装置は、
前記テレビ通信手段と通信を行なう送信装置通信手段と、
前記テレビに対して送信する情報を記憶する記憶手段と、
前記テレビより前記送信装置通信手段によって前記通知を受信すると、前記記憶手段に記憶された前記テレビに対して提供する情報を、前記送信装置通信手段によって前記テレビに送信する送信手段と
を具備し、
前記テレビはさらに、
前記テレビ通信手段によって受信する、前記通信装置より前記テレビに対して提供される情報を取得する情報取得手段と
を具備する
ことを特徴とする情報転送システム。
【請求項２】
前記テレビに対して提供する情報は、
前記テレビで適用可能なユーザインターフェース画面を暗号化した暗号ユーザインターフェース画面および、前記暗号ユーザインターフェース画面に復号化処理に用いられる復号鍵であって、
前記送信装置の送信手段は、
前記復号鍵を前記通信手段によって前記テレビに直接送信する復号鍵送信手段と、
前記暗号ユーザインターフェース画面を他の電子機器を介して前記テレビに転送するユーザインターフェース画面転送手段からなり、
前記テレビはさらに
前記情報取得手段によって取得した、前記復号鍵を用いて前記暗号ユーザインターフェース画面の復号処理を行う復号手段と、
前記復号処理された前記ユーザインターフェース画面の適用を行う適用手段とを具備する
ことを特徴とする請求項１記載の情報転送システム。
【請求項３】
前記送信装置の
前記記憶手段に記憶される復号鍵は、複数個に分割された復号鍵であって、
前記復号鍵送信手段は複数回受信する前記放送波を現在受信している旨の通知を受信するとき、前記分割された復号鍵の一部を前記テレビに送信し、
前記テレビはさらに
前記送信装置より受信した前記分割された復号鍵が全てそろったとき前記復号鍵を合成する鍵合成手段を具備する
ことを特徴とする請求項２記載の情報転送システム。
【請求項４】
前記送信装置の
前記記憶手段に記憶された前記テレビに対して提供する情報は、
前記テレビで適用可能なユーザインターフェース画面が分割された分割ユーザインターフェース画面であって、
前記送信手段は複数回受信する前記放送波を現在受信している旨の通知を受信するとき、前記分割ユーザインターフェース画面の一部を前記テレビに送信し、
前記テレビはさらに
前記送信装置より受信した前記分割ユーザインターフェース画面が全てそろったとき前記分割ユーザインターフェース画面を合成するユーザーインターフェース画面合成手段と、
前記合成手段によって合成されたユーザインターフェース画面を適用する適用手段とを具備する
ことを特徴とする請求項１記載の情報転送システム。
【請求項５】
放送波を受信する放送波受信手段と、
送信装置と通信を行う通信手段と、
前記放送波受信手段によって所定の放送波を受信するとき、前記通信手段によって、所定の期間に複数回、前記所定の放送波を現在受信している旨を前記送信装置に通知する通知手段と、
前記送信装置から送信される情報を取得する情報取得手段と
を有することを特徴とするテレビ。
【請求項６】
前記送信装置が送信する前記情報は、前記テレビで適用可能なユーザインターフェース画面を暗号化した暗号ユーザインターフェース画面および、前記暗号ユーザインターフェース画面に復号化処理に用いられる復号鍵であって、
前記情報取得手段によって取得した、前記復号鍵を用いて前記暗号ユーザインターフェース画面の復号処理を行う復号手段と、
前記復号処理された前記ユーザインターフェース画面の適用を行う適用手段と
を具備することを特徴とする請求項５記載のテレビ。
【請求項７】
前記送信装置が送信する前記情報は、前記テレビで適用可能なユーザインターフェース画面を暗号化した暗号ユーザインターフェース画面および、前記暗号ユーザインターフェース画面に復号化処理に用いられる復号鍵であって、分割された復号鍵である分割復号鍵であり、
前記情報取得手段は前記送信装置が前記通知を行なう毎に送信する前記分割復号鍵を、前記送信装置が送信を行なう毎に取得し、
前記情報取得手段によって取得した、前記分割復号鍵の合成処理を行い、前記復号処理に用いられることの可能な復号鍵に該分割復号鍵を合成する鍵合成手段と、
前記鍵合成手段によって合成された前記復号鍵を用いて前記暗号ユーザインターフェース画面の復号処理を行う復号手段と、
前記復号処理された前記ユーザインターフェース画面の適用を行う適用手段と
を具備することを特徴とする請求項５記載のテレビ。
【請求項８】
前記送信装置が送信する前記情報は、前記テレビで適用可能なユーザインターフェース画面が分割された分割ユーザインターフェース画面であって、
前記情報取得手段は前記送信装置が前記通知を行なう毎に送信する前記分割ユーザインターフェース画面を、前記送信装置が送信を行なうごとに取得し、
前記情報取得手段によって取得した、前記分割ユーザインターフェース画面の合成処理を行い、前記テレビに適用可能なユーザインターフェース画面に該分割ユーザインターフェース画面を合成するユーザインターフェース画面合成手段と、
前記合成手段によって合成処理された前記ユーザインターフェース画面の適用を行う適用手段とを具備する
ことを特徴とする請求項５記載のテレビ。
【請求項９】
テレビに対して送信する情報を記憶する記憶手段と、
前記テレビと通信を行なう通信手段と、
前記通信手段より、前記テレビが所定の放送波を現在受信している旨を通知を受信する受信手段と、
前記受信手段によって前記通知を所定期間に複数回受信すると、前記記憶手段に記憶されている前記情報を前記通信手段によって前記テレビに対して送信する送信手段と
を具備することを特徴とする送信装置。
【請求項１０】
前記テレビに対して送信する前記情報は、前記テレビで適用可能なユーザインターフェース画面を暗号化した暗号ユーザインターフェース画面および前記暗号ユーザインターフェース画面に復号化処理に用いられる復号鍵であって、
前記送信手段は、
前記復号鍵を前記通信手段によって前記テレビに直接送信する復号鍵送信手段と、
前記暗号ユーザインターフェース画面を他の電子機器を介して前記テレビに転送するユーザインターフェース画面転送手段とからなる
ことを特徴とする請求項９記載の送信装置。
【請求項１１】
前記記憶手段に記憶される復号鍵は、複数個に分割された復号鍵であって、
前記復号鍵送信手段は複数回受信する前記放送波を現在受信している旨の通知を受信するとき、前記分割された復号鍵の一部を前記テレビに送信する
ことを特徴とする請求項１０記載の送信装置。
【請求項１２】
前記テレビに対して送信する前記情報は、前記テレビで適用可能なユーザインターフェース画面が分割された分割ユーザインターフェース画面であって、
前記送信手段は複数回受信する前記放送波を現在受信している旨の通知を受信するとき、前記分割ユーザインターフェース画面の一部を前記テレビに送信する
ことを特徴とする請求項９記載の送信装置。
【発明の詳細な説明】
【技術分野】
【０００１】
本発明は情報転送システム、テレビおよび送信装置に関するものであって、特に放送波を利用して情報の転送を行なう情報処理システムおよびテレビおよび送信装置に関する。
【背景技術】
【０００２】
近年、情報処理装置や携帯情報端末等において、操作画面等のGUI（Graphical User Interface）を変更可能な情報処理装置、携帯情報端末が提供されている。これらの情報処理装置、携帯情報端末ではユーザはGUI提供元より提供されるGUIのうち好みのデザインを適用することが可能となり、ユーザにとって興趣性の高いものとなる。
【０００３】
また、携帯情報端末においてユーザがGUIを加工することが可能な携帯情報処理装置が提案されている（特許文献１を参照）。この携帯情報端末ではユーザはGUIを好みのデザインにカスタマイズすることが可能となり、上記のものよりさらにユーザにとっての興趣性の高いものとなる。
【先行技術文献】
【特許文献】
【０００４】
【特許文献１】特開２００８−２６９４９８号公報
【発明の概要】
【発明が解決しようとする課題】
【０００５】
テレビにおいて上記情報処理装置および携帯情報端末のようにGUIをユーザが変更可能となると、ユーザは放送局が発信する放送波を用いて配信される、例えば番組等を視聴することでその放送局の提供するGUIを得ることができる、というようなGUIの提供形態が実現するものと考えられる。この提供形態においてユーザは放送局の提供するGUI を得ることができ、放送局はユーザの視聴を確保することが可能である。現在、上記のような提供形態を実現することの可能な情報転送システム、テレビおよび送信装置は提供されていない。
【０００６】
本発明は上記問題に鑑みてなされたもので、テレビが所定の放送局の放送波を視聴した時間に応じて情報を取得することの可能とする、情報転送システム、テレビおよび送信装置を提供することを目的とする。
【課題を解決するための手段】
【０００７】
本発明にかかる情報転送システムはテレビと、所定の放送局が前記テレビに対して提供する情報を送信する送信装置とを具備する情報転送システムであって、前記テレビは、前記所定の放送局の放送する放送波を受信する放送受信手段と、前記送信装置と通信を行なうテレビ通信手段と、前記受信手段によって前記放送波を受信するとき、前記テレビ通信手段によって前記送信装置に、所定の期間に複数回、前記所定の放送波を現在受信している旨を通知する通知手段とを具備し、前記送信装置は、前記テレビ通信手段と通信を行なう送信装置通信手段と、前記テレビに対して送信する情報を記憶する記憶手段と、前記テレビより前記送信装置通信手段によって前記通知を受信すると、前記記憶手段に記憶された前記テレビに対して提供する情報を、前記送信装置通信手段によって前記テレビに送信する送信手段とを具備し、前記テレビはさらに、前記テレビ通信手段によって受信する、前記通信装置より前記テレビに対して提供される情報を取得する情報取得手段とを具備することを特徴としている。
【０００８】
また本発明にかかるテレビは  放送波を受信する放送波受信手段と、送信装置と通信を行う通信手段と、前記放送波受信手段によって所定の放送波を受信するとき、前記通信手段によって、所定の期間に複数回、前記所定の放送波を現在受信している旨を前記送信装置に通知する通知手段と、前記送信装置から送信される情報を取得する情報取得手段とを有することを特徴としている。
【０００９】
また本発明にかかる送信装置はテレビに対して送信する情報を記憶する記憶手段と、前記テレビと通信を行なう通信手段と、前記通信手段より、前記テレビが所定の放送波を現在受信している旨を通知を受信する受信手段と、前記受信手段によって前記通知を所定期間に複数回受信すると、前記記憶手段に記憶されている前記情報を前記通信手段によって前記テレビに対して送信する送信手段とを具備することを特徴としている。
【発明の効果】
【００１０】
テレビが所定期間放送波を受信すると、放送局が放送の受信を行ったテレビに対して情報の提供を行うことが可能となる。
【図面の簡単な説明】
【００１１】
【図１】本実施形態におけるGUI変更システムの一例を示す図。
【図２】本実施形態におけるGUI変更システムのハードウェア構成の一例を示すブロック図。
【図３】本実施形態におけるテレビに表示されるGUIの一例を示した図。
【図４】本実施形態におけるGUIの転送方法の一例を示した図。
【図５】本実施形態におけるテレビのGUI取得機能の構成の一例を示すブロック図
【図６】本実施形態におけるサーバとテレビ間での鍵転送処理の流れの一例を示す図。
【図７】本実施形態におけるテレビのGUI適用処理のフローの一例を示すフロー図
【発明を実施するための形態】
【００１２】
以下、本発明の実施形態を図面を参照しながら説明する。
【００１３】
図１は本実施形態におけるGUI変更システム１０の一例を示す図である。図１にはGUI変更システム１０、サーバ１１、テレビ１２、PC１３、およびネットワーク１４が示されている。
【００１４】
GUI変更システム１０はサーバ１１、テレビ１２、PC１３、およびネットワーク１４より構成され、テレビ１２の操作画面等のGUI（ユーザインターフェース画面）を変更可能とするシステムである。
【００１５】
サーバ１１は例えば放送局または放送局が委託する管理会社等に設置されており、テレビ１２の適用可能なGUIを暗号化した状態で有している。サーバ１１は情報送信装置として働き、ネットワーク１４を介してテレビ１２、PC１３と通信可能である。
【００１６】
テレビ１２はユーザに対して映像の表示を行うことの可能な映像表示装置であり、放送局からの放送波を受信し、表示面に表示を行なう。本実施形態ではネットワーク１４と接続可能であり、他の電子機器との通信を行うことができる。またテレビ１２はユーザがテレビ１２の操作を行う際に表示面に表示される操作画面等の表示であるGUIの変更を行なうことが可能である。
【００１７】
PC１３は例えばパーソナルコンピュータ（Personal Computer）であり、各種の情報処理が可能な情報処理装置である。PC１３はネットワーク１４を介して、他の電子機器と通信可能となっている。
【００１８】
ネットワーク１４は例えばインターネット等の広域ネットワークであり、接続されるサーバ１１、テレビ１２、およびPC１３を通信可能としている。
【００１９】
図２は本実施形態におけるGUI変更システム１０のハードウェア構成の一例を示すブロック図である。図２にはGUI変更システム１０、サーバ１１、CPU１１１、メモリ１１２、HDD１１３、ネットワークI/F１１４、バス１１５、テレビ１２、CPU１２１、チューナ１２２、デコーダ１２３、メモリ１２４、表示制御部１２５、ＬＣＤ１２６、ネットワークI/F１２７、入力部１２８、音声制御部１２９、スピーカ１２０１、USBI/F１２０２、バス１２０３、PC１３、CPU１３１、メモリ１３２、USBI/F１３３、ネットワークI/F１３４、HDD１３５、入力部１３６、バス１３７、ネットワーク１４、WAN１４１、LAN１４２、LAN１４３、およびリムーバブルメディア１５が示されている。
【００２０】
CPU１１１は中央演算処理装置（Central Processing Unit）であり、サーバ１１全体を制御している。またプログラムを実行し、そのプログラムに応じた所定の処理を実行する機能を有している。
【００２１】
メモリ１１２は半導体メモリにより構成され、CPU１１１がプログラムを処理する際のプログラムおよびデータの展開用領域として利用される。
【００２２】
HDD１１３は例えば磁気ディスク装置であり、サーバ１１のデータを保存する不揮発性の領域として利用される。CPU１１１の指示により、記憶されたプログラムやデータを読み出すことができる。本実施形態においてHDD１１３は、テレビ１２で適用可能な暗号化されたGUIおよび、暗号化されたGUIを復号することの可能な復号鍵を有している。
【００２３】
ネットワークI/F１１４はLAN１４２と接続されており、LAN１４２とサーバ１１とを通信可能に接続している。
【００２４】
バス１１５はサーバ１１内の各モジュールを通信可能に接続している。
【００２５】
CPU１２１は中央演算処理装置であり、テレビ１２全体を制御している。またプログラムを実行し、そのプログラムに応じた所定の処理を実行する機能を有している。
【００２６】
チューナ１２２は放送局の送信する放送波を受信する機能を有している。
【００２７】
デコーダ１２３はチューナ１２２で受信した放送波にデコード処理を行い、テレビ１２が映像または音声で出力可能な電気信号へと変換する機能を有している。
【００２８】
メモリ１２４は半導体メモリによって構成される不揮発性の記憶媒体である。本実施形態においてメモリ１２４はテレビ１２で適用可能なGUIを取得、適用することの可能なGUI取得アプリケーションプログラムを格納している。このGUI取得アプリケーションプログラムはCPU１２１によって実行される。
【００２９】
表示制御部１２５はCPU１２１の描画指示や、デコーダ１２３でデコード処理された画像情報に基づいて、テレビ１２が表示を行う画像の描画を行いLCD１２６に表示させる機能を有している。
【００３０】
LCD１２６は例えば液晶ディスプレイ（Liquid Crystal Display）であり、テレビ１２における表示装置である。テレビ１２の画像情報をユーザに対して出力する機能を有している。本実施形態ではLCD１２６の一例として液晶ディスプレイを例示しているが、これに限定されるものではなく、他の表示装置としては例えばCRT（Cathode Ray Tube）やPDP（Plasma Display Panel）等が考えられる。
【００３１】
ネットワークI/F１２７はLAN１４３と接続されており、LAN１４３とテレビ１２とを通信可能に接続している。
【００３２】
入力部１２８はテレビ１２に対してのユーザからの入力操作を電気信号として入力する機能を有する。入力部１２８は例えば、テレビ１２に設置されたユーザ操作ボタンや遠隔操作の可能なリモコンからの操作信号を受信する受信部等が考えられる。
【００３３】
音声制御部１２９はCPU１２１の指示や、デコーダ１２３でデコード処理された音声情報に基づいて、テレビ１２が出力する音声を生成し、スピーカ１２０１に音声を出力させる機能を有している。
【００３４】
スピーカ１２０１における音声出力装置であり、テレビ１２の音声情報を外部にユーザに対して出力する機能を有している。
【００３５】
USBI/F１２０２は例えばUSB（Universal Serial Bus）メモリ等の外部電子機器と接続可能なインターフェースであり、本実施形態においてはリムーバブルメディア１５と接続、通信可能となっている。
【００３６】
バス１２０３はテレビ１２内の接続されたモジュールを通信可能としている。
【００３７】
CPU１３１は中央演算処理装置であり、PC１３全体を制御している。またプログラムを実行し、そのプログラムに応じた所定の処理を実行する機能を有している。
【００３８】
メモリ１３２は半導体メモリにより構成され、CPU１３１がプログラムを処理する際のプログラムおよびデータの展開用領域として利用される。
【００３９】
HDD１３３は例えば磁気ディスク装置であり、PC１３のデータを保存する不揮発性の領域として利用される。
【００４０】
USBI/F１３４は例えばUSBメモリ等の外部電子機器と接続可能なインターフェースであり、本実施形態においてはリムーバブルメディア１５と接続、通信可能となっている。
【００４１】
ネットワークI/F１３４はLAN１４３と接続されており、LAN１４３とPC１３とを通信可能に接続している。
【００４２】
HDD１３５は例えば磁気ディスク装置であり、PC１３のデータを保存する不揮発性の領域として利用される。
【００４３】
入力部１３６はPC１３に対してのユーザからの操作を電気信号として入力する機能を有する。入力部１３６は例えば、キーボード、タッチパッド、マウス等の入力手段が考えられる。
【００４４】
バス１３７はテレビ１３内の接続されたモジュールを通信可能としている。
【００４５】
WAN１４１例えばワイドエリアネットワーク（Wide Area Network）であり、LAM１４２およびLAN１４３と接続されておりLAN１４２、LAN１４３を介してサーバ１１、テレビ１２およびPC１３を通信可能に接続する。
【００４６】
LAN１４２は例えばローカルエリアネットワーク（Local Area Network）であり、WAN１４１とサーバ１１とを接続しており、データの送受信を可能としている。
【００４７】
LAN１４３は、例えばローカルエリアネットワークであり、WAN１４１とテレビ１２およびPC１３とを接続しており、データの送受信を可能としている。
【００４８】
リムーバブルメディア１５は例えばUSBメモリでありテレビ１２およびPC１３と接続、通信可能である。本実施形態においてテレビ１２とPC１３とのデータの転送はリムーバブルメディア１５を用いて行うよう例示するが、これに限定されるものではなく、例えばTV１２とPC１３を直接データ転送可能に接続を行って、データを転送してもよい。リムーバブルメディア１５もUSBに対応していないSDカード等でもよく、テレビ１２およびPC１３とのデータの転送はどのような手段を用いてもよい。
【００４９】
図３は本実施形態におけるテレビ１２に表示されるGUIの一例を示した図である。図３にはテレビ１２、LCD１２６、チャンネル表示３１、入力切替表示３２、および音量表示３３が示されている。チャンネル表示３１、入力切替表示３２、および音量表示３３は本実施形態におけるGUIの例示である。
【００５０】
チャンネル表示３１はLCD１２６上に表示され、現在LCD１２６に表示されているチャンネル情報の表示を行っている。本実施形態では表示内容としては、現在表示が行なわれているチャンネル数、放送局名、番組名および番組の放送時間が表示されている。例えば、２チャンネルの××放送局から７：００〜７：１５に放送される天気予報を表示しているときはチャンネル表示３１に例示されるような表示が行なわれる。
【００５１】
入力切替表示３２は現在LCD１２６に表示されている映像の入力先の表示を行っている。入力切替表示３２にはテレビ、外部入力１、および外部入力２の選択画面が表示されている。ここでユーザによってテレビが選択されると、テレビ１２がチューナ１２２によって受信した放送波が表示される。外部入力１、外部入力２が選択されると、テレビ１２外部から入力される画像、音声の出力が行われる。ここでテレビ１２はHDMI、S端子、アナログRGB等のような映像、音声の入力可能なインターフェースを有している（図示しない）。
【００５２】
音量表示３３は現在スピーカ１２０１より出力されている音声の大きさの表示を行っている。図中の斜線領域が大きくなるほど音声が大きくなり、小さくなるほど音声が小さくなる。ユーザは音量表示３３を参考にしながら音量の調整を行なう。
【００５３】
本実施形態においてGUIの一例として上記のようなものを例示しているがこれに限定されるものではなく、GUIの例としては他にも各種操作画面、番組表、録画等の各種イベント開始または終了通知、目覚まし機能表示等の様々な例が考えられる。これらのようなGUIをユーザの嗜好に合わせて適用できるとなると、テレビ１２はユーザにとってさらに興趣性の高いものとなる。
【００５４】
図４は本実施形態におけるGUI４１の転送方法の一例を示した図である。図４にはGUI変更システム１０、サーバ１１、テレビ１２、PC１３、GUI４１、および復号鍵４２が示されている。
【００５５】
GUI４１は暗号化された状態でのGUIであり、復号処理を行った後にTV１２に適用可能となる。
【００５６】
復号鍵４２はGUI４１の復号化を行うときに用いられるデータであり、所定の個数に分割されている。GUI４１は復号鍵４２が無いと復号化を行うことができない。また復号鍵４２は分割された状態ではGUI４１の復号化に用いることができない。
【００５７】
GUI４１および復号鍵４２は最初はサーバ１１に保存されており、後にネットワーク１４を介して復号鍵４１はテレビ１２に送信され、GUI４１はPC１３に送信される。PC１３はGUI４１を受信後、一旦HDD１３５に格納し、後にリムーバブルメディア１５によってテレビ１２にGUI４１を転送する。復号鍵４２は分割された状態でサーバ１１からテレビ１２にそれぞれ別に送信される。テレビ１２は分割された状態の復号鍵４２を受信し、順次メモリ１２４に格納し、全ての復号鍵４２がそろうと、復号鍵４２の合成処理を行い、GUI４１の復号に用いることの可能な１つの鍵とする。PC１２より転送されるGUI４１を取得すると、合成処理を行った復号鍵４２を用いてGUIの復号化を行い、復号化されたGUI４１を適用する。
【００５８】
図５は本実施形態におけるテレビ１２のGUI取得機能の構成の一例を示すブロック図である。図５にはGUI取得アプリケーション５１、通信部５２、取得部５３、鍵合成部５４、GUI復号部５５、GUI適用部５６、USBI/F１２０２、ネットワークI/F１２７、入力部１２８、メモリ１２４、表示制御部１２５、およびLCD１２６が示されている。
【００５９】
GUI取得アプリケーション５１は本実施形態においてGUIを取得、適用する際にCPU１２１によって実行されるアプリケーションである。通常はメモリ１２４の格納されており、使用時にはCPU１２１によって実行され、GUIの取得、適用を行う機能を有する。GUI取得アプリケーション５１は機能構成として、通信部５２、取得部５３、鍵合成部５４、GUI復号部５５、およびGUI適用部５６を有している。
【００６０】
通信部５２はネットワークI/F１２７によってネットワーク１４を介してサーバ１１と通信を行う機能を有している。また入力部１２８からのGUI４１の適用指示も受け付ける。
【００６１】
取得部５３はネットワークI/F１２７およびUSBI/F１２０２と通信可能である。取得部５３はネットワークI/F１２７よりネットワーク１４を介してサーバ１１から受信する分割された状態の復号鍵４２を取得しメモリ１２４に格納する機能を有している。また、USBI/F１２０２よりリムーバブルメディア１５を介してPC１２より転送されるGUI４１を取得し、メモリ１２４に格納する機能を有している。
【００６２】
鍵合成部５４はGUI４１の復号化処理を行う際に、メモリ１２４に格納されている分割された状態の復号鍵４２を、復号化処理に使用可能な一つの復号鍵４２とする、復号鍵４２の合成処理を行う機能を有している。鍵合成部５４の復号鍵４２の合成処理は、分割された復号鍵４２が全てそろわなければ、当然GUI４１を復号可能な正しい復号鍵４２への合成処理を行うことはできない。復号鍵４２の合成処理が終了すると、合成後の復号鍵４２をメモリ１２４に格納する。
【００６３】
GUI復号部５５は復号鍵４２を用いて暗号化されたGUI４１の復号化を行う。暗号化されたGUI４１をメモリ１２４より取り出し、鍵合成部５４によって合成処理されたメモリ１２４に格納されている復号鍵４２を用いて、暗号化されたGUI４１をテレビ１２で適用できるような状態へと復号処理を行う。
【００６４】
GUI適用部５６は復号化されたGUI４１をテレビ１２に適用する機能を有している。GUI適用部５６は表示制御部１２５に復号化されたGUI４１の画像生成を指示し、LCD１２６に表示を行なわせる。
【００６５】
図６は本実施形態におけるサーバ１１とテレビ１２間での鍵転送処理の流れの一例を示す図である。
【００６６】
テレビ１２がサーバ１１を有する（GUI４１を提供する）放送局の放送チャンネルを受信すると、テレビ１２はGUI取得アプリケーション５１によって、ネットワーク１４を介してサーバ１１に同放送局の放送チャンネルを受信している旨の通知およびテレビ１２のIPアドレスを送信する。サーバ１１は放送チャンネルを受信している旨の通知およびテレビ１２のIPアドレスを受信すると、該IPアドレスに対して、番組Aを全て視聴するとGUI４１をテレビ１２は取得可能である旨の通知を送信する。本実施形態においては、ここでのGUI４１は例えば番組Aに関連する特有のデザインを有するGUIであると例示する。またここでGUIを取得可能である旨の通知と共に、後に同放送チャンネルの受信を行っている間、所定時間ごとに放送チャンネルを受信している旨の通知をサーバ１１送信するように、テレビ１２に指示を送信する。テレビ１２はこれらの情報を受信すると、ユーザに対して、番組Aを全て視聴するとGUI４１を取得可能である旨の通知を表示する。
【００６７】
GUI４１を取得可能である旨の通知を表示された後、テレビ１２のGUI取得アプリケーション５１の通信部５５は上述の所定時間毎にテレビ１２が同放送チャンネルを受信しているか否かを判別し、受信が行われているとサーバ１１に対して同放送チャンネルを受信している旨の通知を送信する。ここでの同放送チャンネルの受信の判別はテレビ１２の選局状態の監視や、放送チャンネルのSI/PSIを継続して取得しているか等によって判別を行うことが可能である。しかし、判別可能であればこれらの方法に限定されるわけではない。
【００６８】
サーバ１１はこの通知を受け取ると、テレビ１２に対して分割された復号鍵４２の一部を送信する。テレビ１２は復号鍵４２を受信すると、メモリ１２４に格納する。この受信している旨の通知の送信から復号鍵４２の格納を所定回数の回数繰り返して、サーバ１１は分割された復号鍵４２の全てを送信し、テレビ１２がメモリ１２４に受信した全ての復号鍵４２格納する。このとき復号鍵４２は番組Aが終わるまでに全てが転送される。この繰り返しの所定回数は復号鍵４２の分割された個数であり、受信している旨を通知する間隔である所定時間は、繰り返しの所定回数と番組Aの放送時間との関係で決まる。ここでは、所定時間が先に決定されており、それに合わせて繰り返しの所定回数および復号鍵４２の分割個数が決定されてもよい。番組Aが終了し、復号鍵４２が全て転送完了されると、サーバ１１はテレビ１２に対してGUI４１の取得方法の通知を送信し、テレビは該通知を受信すると、ユーザに対して通知の表示を行う。以上で復号鍵４２の転送処理が終了する。
【００６９】
本実施形態においてGUI４１は番組Aの特有のデザインを有するものを例示しているがこれに限定されるもではなく、放送局特有のデザイン等でもよく、また放送局、番組特有のものではく一般的なデザインのものでもよい。また本実施形態において番組放送間のユーザ視聴によって復号鍵４２の転送を行なったが、これに限定されるものではなく、一定期間の視聴によるGUIの提供であれば、時間の区切り方は番組単位である必要はない。
【００７０】
上記の処理が終了すると、ユーザはGUI４１の取得が可能となっているのでGUI４１をテレビに取得し、適用することが可能となる。
【００７１】
本実施形態においてはサーバ１１からのGUI４１の取得方法としてPC１３で番組ホームページ等からGUI４１を一旦取得し、それをリムーバブルメディア１５を用いてテレビ１２に転送するという取得方法を例示している。テレビ１２で直接サーバ１１からGUI４１を取得するのではなく、このようにPC１３を用いてのダウンロードを行うと、テレビ１２の情報処理速度がPC１３より遅い場合に、より早くGUI４１を取得することが可能である。またテレビ１２の負荷を軽減することができる。このような構成とすると、ユーザがPC１３に取得したGUI４１のテレビ１２以外のテレビへの転用を行う可能性があるため、復号鍵４２を視聴を行ったテレビ１２に直接送信することで、視聴を行っていない他のテレビへのGUIの転用を防止することができる。
【００７２】
また、サーバ１１からテレビ１２への復号鍵４２の送信を一括して行わず、本実施形態のように分割して一定の期間にわたって送信を行うことで、GUI４１の送信を行う放送局としてはその期間、テレビ１２でのユーザの視聴を確保することができる。
【００７３】
また、本実施形態では復号鍵４２の取得の際、ユーザは特に関知することなくテレビ１２に復号鍵４２の取得を行うことが可能である。
【００７４】
図７は本実施形態におけるテレビ１２のGUI適用処理のフローの一例を示すフロー図である。
【００７５】
テレビ１２においてGUIを提供する放送局の放送チャンネルの受信をし、GUI取得アプリケーション５１の通信部５２によってサーバに対して、受信を行っている旨の通知を行うと、サーバ１１より分割された状態の復号鍵４２を受信する（S７１）。取得部５３は分割された状態の復号鍵４２を受信し、メモリ１２４に格納する（S７２）。次に通信部５２が分割された状態の復号鍵４２を全て受信したか否かの判別を行う（S７３）。本実施形態においてS７３の全ての復号鍵４２を受信したか否かの判別はサーバ１１よりGUI４１取得方法の通知を受信したか否かによって行う。該通知を受信したとき全て受信したものと判別し、受信していないときは全て受信してはいないと判別する。本実施形態においては復号鍵４２を全て受信したか否かの判別基準をGUI４１取得方法の通知を受信したか否かとしているが、これは本実施形態における例示でありこれに限定されるものではなく、テレビ１２が直接サーバ１１にアクセスして確認する等、他にも様々な判別方法が考えられる。
【００７６】
S７３において、復号鍵４２を全て受信していないと判別したときは（No）、フローはS７１に戻り、後に送られてくる復号鍵４２の受信を継続する。復号鍵４２を全て受信したと判別したとき（S７３、Yes）、鍵合成部５４がメモリ１２４に格納されている分割された状態の復号鍵４２の合成処理を行う（S７４）。これによって分割された復号鍵４２は、暗号化されたGUI４１のテレビ１２に適用可能な状態への復号化処理に用いることの可能な一つの復号鍵４２の状態となる。合成後、復号鍵４２はメモリ１２４に格納される。次に取得部５３がリムーバブルメディア１５から暗号化されたGUI４１を取得し（S７５、Yes）、メモリ１２４に格納すると、通信部５２がユーザからGUI４１の適用指示がなされるか否かの判別を行う（S７６）。S７６において適用指示がなされなかったとき、およびS７５においてGUI４１が取得されないときは処理フローは終了となる。S７６において、入力部１２８によってGUI４１の適用指示がなされると、通信部５２はGUI復号部５５に復号化処理の指示を出し、GUI復号部５５はメモリ１２４に格納されている、暗号化されたGUI４１および復号鍵４２を取り出し、暗号化されたGUI４１に対して、復号鍵４２を用いての復号化処理を実行する（S７７）。復号化処理が終了すると、GUI４１はテレビ１２において適用可能となっているため、GUI適用部５６がGUI４１のテレビ１２への適用を行い（Ｓ７８）一連の処理フローは終了となる。本実施形態においては復号鍵４２の転送を先に、GUI４１の転送を後に行なっているがこれに限定されるものではなく、どちらを先におこなってもよい。
【００７７】
また、本実施形態においてGUI４２と復号鍵４１を用いた、GUIの転送方法を例示したがこれに限定されるものではなく、例えばサーバ１１からテレビ１２に直接、GUI４１をいくつかに分割したものを転送してもよい。このときはPC１３を介さず直接テレビ１２にGUI４１データが転送されるため復号鍵を用いる必要はなくなる。分割されたGUI４１ を受信したテレビ１２は分割されたGUI４１を合成し、適用を行えばよい。またGUI４１を分割して転送するため放送局としてはユーザの一定時間の視聴を確保することが可能である。GUI４１に分割を行って転送した場合は取得部５３がデータを取得し、GUI復号部５５がGUI４１の合成処理を行う。
【００７８】
本実施形態では放送波とは別のネットワーク１４によってGUI４１および復号鍵４２のデータ送信を行うよう例示したがこれに限定されるものではなく、放送波によってデータの送信を行ってもよい。放送波での送信方法としては放送波のSI/PSI等に載せてのデータの送信を行ってもよいし、データ放送を用いてのデータ送信を行ってもよい。サーバ１１は放送波を用いて転送を行なった場合、ネットワーク１４を介してテレビ１２と放送チャンネルを受信している旨の通信を行わないとしても、復号鍵４２またはGUI４１を所定の個数に分割して所定時間毎に送信を行うことで、放送局としてはGUI４１を取得したいユーザの視聴を確保でき、ユーザは視聴を行うことでGUI４１を取得することが可能である。
【００７９】
放送波を用いて前述の方法で復号鍵４２またはGUI４１の転送を行なう場合は、復号鍵４２の合成処理、またはGUI４１の復号処理はユーザよりテレビ１２へのGUI４１の適用指示が行われたときに開始される。後の処理フローはネットワーク１４を用いた場合とほぼ同様のものとなるため、記載は行わない。
【００８０】
本実施形態では、テレビが所定期間放送チャンネルを受信すると、放送局がチャンネルの受信を行ったテレビに対してGUIの提供を行うことが可能となる。
【００８１】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００８２】
１０：GUI変更システム
１１：サーバ
１２：テレビ
１３：PC
１４：ネットワーク
１１１：CPU
１１２：メモリ
１１３：HDD
１１４：ネットワークI/F
１１５：バス
１２１：CPU
１２２：チューナ
１２３：デコーダ
１２４：メモリ
１２５：表示制御部
１２６：表示部
１２７：ネットワークI/F
１２８：入力部
１２９：音声制御部
１２０１：スピーカ
１２０２：USBI/F
１２０３：バス
１３１：CPU
１３２：メモリ
１３３：USBI/F
１３４：ネットワークI/F
１３５：HDD
１３６：入力部
１３７：バス
１４１：WAN
１４２：LAN
１４３：LAN
１５：リムーバブルメディア
３１：チャンネル表示
３２：入力切替表示
３３：音量表示
４１：GUI
４２：復号鍵
５１：GUI取得アプリケーション
５２：通信部
５３：取得部
５４：鍵合成部
５５：GUI復号部
５６：GUI適用部
【図１】
2010226226.tif 000003
【図２】
2010226226.tif 000004
【図３】
2010226226.tif 000005
【図４】
2010226226.tif 000006
【図５】
2010226226.tif 000007
【図６】
2010226226.tif 000008
【図７】
2010226226.tif 000009